(57)【要約】【課題】持ち運びが容易であると共に、災害等に備えて内部に物品を保管しておくことができる折畳みボートを提供する。【解決手段】長手方向中央部で二つ折り可能な折畳みボートＢである。ボートＢは、第一ボックス１と第二ボックス２とを備えて構成される。各ボックス１，２は、上方へ開口した有底の箱状に形成されると共に、ボートＢの幅方向両側となる側壁１ａ，２ａには、それぞれ把手３が設けられている。両ボックス１，２は、突き合わされる接続壁１ｂ，２ｂの上端部において、ヒンジ４を介して接続されている。両ボックス１，２は、ヒンジ４まわりに一方のボックス１に対し他方のボックス２が折り返されて、両ボックス１，２間に収容空間を形成して係止可能とされる。収容空間には、たとえば、オールや防災用品を収納できる。【選択図】図１
0003232369.tif 000002
【実用新案登録請求の範囲】
【請求項１】
長手方向中央部で二つ折り可能な折畳みボートであって、
前記ボートは、第一ボックスと第二ボックスとを備えて構成され、
前記各ボックスは、上方へ開口した有底の箱状に形成されると共に、前記ボートの幅方向両側となる側壁には、それぞれ把手が設けられており、
前記両ボックスは、突き合わされる接続壁の上端部において、ヒンジを介して接続されており、
前記両ボックスは、前記ヒンジまわりに一方のボックスに対し他方のボックスが折り返されて、両ボックス間に収容空間を形成して係止可能とされた
ことを特徴とする折畳みボート。
【請求項２】
前記ボートの展開状態において、前記接続壁同士がボルトで着脱可能に接続される一方、前記ボートの折畳状態において、前記両ボックスが留め具で着脱可能に係止される
ことを特徴とする請求項１に記載の折畳みボート。
【請求項３】
前記把手は、前記ボートを展開状態または折畳状態で持ち運びするための持ち手とされると共に、前記ボートを展開状態または折畳状態で吊り下げる際には、吊下用の紐状体の保持部とされる
ことを特徴とする請求項１または請求項２に記載の折畳みボート。
【請求項４】
前記把手は、ロープの両端部が前記側壁に固定されてなり、
前記ロープは、前記ボートを展開状態または折畳状態で持ち運びするための持ち手とされると共に、前記ボートを展開状態または折畳状態で吊り下げる際には、吊下用の紐状体が前記側壁との間に通されるか、吊下用の紐状体の端部が取り付けられる
ことを特徴とする請求項１〜３のいずれか１項に記載の折畳みボート。
【請求項５】
一方のボックスに対し他方のボックスが折り返されて、両ボックスが上下に配置された折畳状態において、前記第一ボックスの把手と、前記第二ボックスの把手とが、上下に対応した位置に配置される
ことを特徴とする請求項１〜４のいずれか１項に記載の折畳みボート。
【請求項６】
前記各ボックスは、アルミニウムまたはアルミニウム合金から形成される
ことを特徴とする請求項１〜５のいずれか１項に記載の折畳みボート。
【請求項７】
前記各ボックスは、略矩形の箱状とされ、
前記ボートの展開状態において、
前記ボートの長手方向中央部に配置される接続壁は、上下方向へ沿って配置される一方、前記ボートの長手方向両端部に配置される端部壁は、下方へ行くに従って前記ボートの長手方向内側へ傾斜して配置され、
前記各ボックスの前記各側壁には、前記ボートの長手方向に離隔して、前記把手が二つ設けられている
ことを特徴とする請求項１〜６のいずれか１項に記載の折畳みボート。
【請求項８】
前記ボートの展開状態において、
前記各ボックスは、上部開口に沿って略矩形の枠状部が設けられており、
前記ボートの幅方向両側の側壁の上部において、前記枠状部には、前記ボートの長手方向に離隔して、前記把手が設けられており、
前記把手は、ロープの両端部が前記枠状部に固定されてなる
ことを特徴とする請求項７に記載の折畳みボート。
【請求項９】
前記第一ボックスと前記第二ボックスとの内、少なくとも一方のボックスには、前記枠状部の上面に、前記枠状部に沿って連続してシール材が設けられており、
前記ヒンジは、前記枠状部の内、前記シール材よりも外側に取り付けられ、
前記ボートの折畳状態において、前記両ボックスの枠状部同士が前記シール材を介して重ね合わされることで、前記収容空間を密閉可能とされた
ことを特徴とする請求項８に記載の折畳みボート。
【請求項１０】
前記各ボックス内には、前記ボートの幅方向に沿って、略矩形の箱状の座席部が設けられており、
この座席部は、内部が空洞で上蓋が開閉可能とされて、物品の収容部を兼ねる
ことを特徴とする請求項７〜９のいずれか１項に記載の折畳みボート。
【請求項１１】
前記ボートの折畳状態において、
前記収容空間には、オールと防災用品が収容されている
ことを特徴とする請求項１〜１０のいずれか１項に記載の折畳みボート。
【考案の詳細な説明】
【技術分野】
【０００１】
本考案は、折畳み可能なボートに関するものである。
【背景技術】
【０００２】
従来、下記特許文献１に開示されるように、長手方向中央部で二つ折り可能な折畳みボートが知られている。このボートは、船首部分（１）と船尾部分（２）とを備え、船首部分（１）を船尾部分（２）上に折畳み可能とされ、船尾部分（２）には輸送時に用いる車輪（６）が設けられている。
【０００３】
しかしながら、従来技術では、車輪を用いた搬送はできるが、車輪が走行できない箇所での搬送は不便である。また、ボートは、人が持ち運びする以外に、クレーン等で吊り下げたい場合もあるが、そのための構造も備えない。特に、折畳みボートの場合、二つ折りされるため、折畳み状態でも容易に、持ち運びや吊り下げができることが望まれる。
【０００４】
さらに、従来技術では、その図４に示されるように、ボートを展開状態に保持するには、船尾部分（２）から延びるバー（１３）の孔に船首部分（１）内の底面からボルト（２１）をねじ込むことで固定される。この場合、船底に孔（ボルト挿通穴）を有することになり、安全上好ましくない。
【０００５】
その他、近年日本では、地震による津波の他、集中豪雨や台風による浸水への対策が急務であるところ、従来技術では、防災対策としての配慮はなされていない。
【先行技術文献】
【特許文献】
【０００６】
【特許文献１】特表２００３−５１１２９７号公報（要約、請求項１、段落００１５、図１、図４）
【考案の概要】
【考案が解決しようとする課題】
【０００７】
本考案が解決しようとする課題は、持ち運びが容易であると共に、災害等に備えて内部に物品を保管しておくことができる折畳みボートを提供することにある。
【０００８】
また、好ましくは、人が持ち運びする以外に、クレーン等での吊下げも容易に行える折畳みボートを提供することを課題とする。あるいは、船首側と船尾側との接続を、船底以外の箇所で行うことで、安全性を向上した折畳みボートを提供することを課題とする。
【課題を解決するための手段】
【０００９】
本考案は、前記課題を解決するためになされたもので、請求項１に記載の考案は、長手方向中央部で二つ折り可能な折畳みボートであって、前記ボートは、第一ボックスと第二ボックスとを備えて構成され、前記各ボックスは、上方へ開口した有底の箱状に形成されると共に、前記ボートの幅方向両側となる側壁には、それぞれ把手が設けられており、前記両ボックスは、突き合わされる接続壁の上端部において、ヒンジを介して接続されており、前記両ボックスは、前記ヒンジまわりに一方のボックスに対し他方のボックスが折り返されて、両ボックス間に収容空間を形成して係止可能とされたことを特徴とする折畳みボートである。
【００１０】
請求項１に記載の考案によれば、ボートを、長手方向中央部で二つ折り可能であるから、所望時には折り畳んでコンパクトに収納することができる。また、ボートは、第一ボックスと第二ボックスとを備え、互いの接続壁の上端部がヒンジを介して接続される。ボートの側面や底面にヒンジを設けないことで、ボート内への水の浸入を防止しやすく、安全性を向上することができる。また、各ボックスの側壁には把手が設けられているので、持ち運びが容易である。さらに、両ボックスを折り畳んだ状態では、両ボックス間に収容空間を形成して係止可能であるから、両ボックス間の収容空間に各種物品を収納して保管しておくことができる。
【００１１】
請求項２に記載の考案は、前記ボートの展開状態において、前記接続壁同士がボルトで着脱可能に接続される一方、前記ボートの折畳状態において、前記両ボックスが留め具で着脱可能に係止されることを特徴とする請求項１に記載の折畳みボートである。
【００１２】
請求項２に記載の考案によれば、ボートの展開状態において、各ボックスの接続壁同士がボルトで接続される。ボックス同士の接続用のボルトを通すための穴を、ボートの底面に設けないことで、ボート内への水の浸入を防止し易く、安全性を向上することができる。一方、ボートの折畳状態において、両ボックスを留め具で着脱可能に係止することで、折畳状態を容易に保持することができる。
【００１３】
請求項３に記載の考案は、前記把手は、前記ボートを展開状態または折畳状態で持ち運びするための持ち手とされると共に、前記ボートを展開状態または折畳状態で吊り下げる際には、吊下用の紐状体の保持部とされることを特徴とする請求項１または請求項２に記載の折畳みボートである。
【００１４】
請求項３に記載の考案によれば、把手は、人が持ち運びする際の持ち手とされると共に、クレーン等で吊り下げる際には、吊下用の紐状体の保持部とされる。しかも、これら機能が、ボートの展開状態だけでなく折畳状態でも発揮されるように、把手が設けられる。
【００１５】
請求項４に記載の考案は、前記把手は、ロープの両端部が前記側壁に固定されてなり、前記ロープは、前記ボートを展開状態または折畳状態で持ち運びするための持ち手とされると共に、前記ボートを展開状態または折畳状態で吊り下げる際には、吊下用の紐状体が前記側壁との間に通されるか、吊下用の紐状体の端部が取り付けられることを特徴とする請求項１〜３のいずれか１項に記載の折畳みボートである。
【００１６】
請求項４に記載の考案によれば、把手は、ロープの両端部が側壁に固定されてなる。そして、そのロープは、人が持ち運びする際の持ち手とされると共に、クレーン等で吊り下げる際には、吊下用の紐状体が側壁との間に通されるか、吊下用の紐状体の端部が取り付けられる。把手をロープから構成することで、ボートの展開状態でも折畳状態でも、ロープは下方へ凸のＵ字状に垂れ下がるので、手を掛けやすい。仮に、ボートの展開状態において、ボート側壁に上方へ凹んだ凹所を設けて手掛け部とした場合、ボートの折畳状態では、前記凹所が下向きとなり、手を掛けられないものも出てくるが、ロープを用いることでそのような不都合を防止することができる。また、ボートが展開状態か折畳状態かに関わらず、吊下用の紐状体を把手に保持することも容易となる。把手を持ち手または吊下げのいずれに用いる場合でも、把手をロープから構成しておけば、ロープの柔軟性により、支点を安定してボートを保持することができる。
【００１７】
請求項５に記載の考案は、一方のボックスに対し他方のボックスが折り返されて、両ボックスが上下に配置された折畳状態において、前記第一ボックスの把手と、前記第二ボックスの把手とが、上下に対応した位置に配置されることを特徴とする請求項１〜４のいずれか１項に記載の折畳みボートである。
【００１８】
請求項５に記載の考案によれば、ボートの折畳状態において、各ボックスの把手が対応した位置に配置されるので、ボートが上下反転しても、同様に持ち運びすることができる。また、折畳状態のボートをクレーン等で吊り下げる際には、上下の各把手に吊下用の紐状体を通すなどして、両ボックスを確実に保持して、ボートを吊り下げることができる。
【００１９】
請求項６に記載の考案は、前記各ボックスは、アルミニウムまたはアルミニウム合金から形成されることを特徴とする請求項１〜５のいずれか１項に記載の折畳みボートである。
【００２０】
請求項６に記載の考案によれば、両ボックスを、アルミニウムまたはアルミニウム合金から形成することで、軽量化を図ることができる。また、内部（折畳状態での収容空間）への光の到達を防止して、収容物品の保護を図ることができる。
【００２１】
請求項７に記載の考案は、前記各ボックスは、略矩形の箱状とされ、前記ボートの展開状態において、前記ボートの長手方向中央部に配置される接続壁は、上下方向へ沿って配置される一方、前記ボートの長手方向両端部に配置される端部壁は、下方へ行くに従って前記ボートの長手方向内側へ傾斜して配置され、前記各ボックスの前記各側壁には、前記ボートの長手方向に離隔して、前記把手が二つ設けられていることを特徴とする請求項１〜６のいずれか１項に記載の折畳みボートである。
【００２２】
請求項７に記載の考案によれば、簡易な構成で、折畳みボートを実現することができる。また、各ボックスの各側壁に二つの把手を設けることで、展開状態でも折畳状態でも、容易に、持ち運んだり、吊り下げたりすることができる。
【００２３】
請求項８に記載の考案は、前記ボートの展開状態において、前記各ボックスは、上部開口に沿って略矩形の枠状部が設けられており、前記ボートの幅方向両側の側壁の上部において、前記枠状部には、前記ボートの長手方向に離隔して、前記把手が設けられており、前記把手は、ロープの両端部が前記枠状部に固定されてなることを特徴とする請求項７に記載の折畳みボートである。
【００２４】
請求項８に記載の考案によれば、各ボックスの上部開口に沿って略矩形状の枠状部が設けられ、その枠状部にロープが保持されるので、各ボックスへのロープの保持を強固に行うことができる。
【００２５】
請求項９に記載の考案は、前記第一ボックスと前記第二ボックスとの内、少なくとも一方のボックスには、前記枠状部の上面に、前記枠状部に沿って連続してシール材が設けられており、前記ヒンジは、前記枠状部の内、前記シール材よりも外側に取り付けられ、前記ボートの折畳状態において、前記両ボックスの枠状部同士が前記シール材を介して重ね合わされることで、前記収容空間を密閉可能とされたことを特徴とする請求項８に記載の折畳みボートである。
【００２６】
請求項９に記載の考案によれば、略矩形の枠状部に沿って連続してシール材を設け、そのシール材よりも外側にヒンジを設けることで、両ボックスを容易に確実に密閉状態で閉じることができる。これにより、収容空間内への水の浸入を防止できると共に、折畳状態でも水に浮かせることができる。
【００２７】
請求項１０に記載の考案は、前記各ボックス内には、前記ボートの幅方向に沿って、略矩形の箱状の座席部が設けられており、この座席部は、内部が空洞で上蓋が開閉可能とされて、物品の収容部を兼ねることを特徴とする請求項７〜９のいずれか１項に記載の折畳みボートである。
【００２８】
請求項１０に記載の考案によれば、ボートに座席部が設けられるので、そこに座ってボートを漕ぐことができる。また、座席部は内部に物品を収容可能であるから、座席部を設けても収容空間の減少を防止することができる。
【００２９】
さらに、請求項１１に記載の考案は、前記ボートの折畳状態において、前記収容空間には、オールと防災用品が収容されていることを特徴とする請求項１〜１０のいずれか１項に記載の折畳みボートである。
【００３０】
請求項１１に記載の考案によれば、内部にオールと防災用品を収容して、折畳状態でボートを保管しておけば、万一の災害に備えることができる。
【考案の効果】
【００３１】
本考案の折畳みボートによれば、持ち運びが容易であると共に、災害等に備えて内部に物品を保管しておくことができる。また、実施の形態によっては、人が持ち運びする以外に、クレーン等での吊下げも容易に行うことができる。さらに、船首側と船尾側との接続を、船底以外の箇所で行うことで、安全性を向上することもできる。
【図面の簡単な説明】
【００３２】
【図１】本考案の一実施例の折畳みボートを示す概略斜視図であり、ボートの展開状態を示している。
【図２】図１の折畳みボートの側面図である。
【図３】図２におけるIII−III断面図である。
【図４】図１の折畳みボートを示す概略斜視図であり、ボートの折畳状態を示している。
【考案を実施するための形態】
【００３３】
以下、本考案の具体的実施例を図面に基づいて詳細に説明する。
図１〜図４は、本考案の一実施例の折畳みボートＢを示す概略図であり、図１は展開状態の斜視図、図２は展開状態の側面図、図３は図２におけるIII−III断面図、図４は折畳状態の斜視図である。
【００３４】
以下、説明の便宜上、ボートＢの展開状態において、ボートＢの長手方向を前後方向（図１および図２の右側を前方）とし、ボートＢの幅方向を左右方向とし、これらと直交する方向を上下方向とする。
【００３５】
折畳みボートＢは、第一ボックス１と第二ボックス２とを備えて構成されるが、ボートＢの展開状態とは、図１および図２に示すように、第一ボックス１と第二ボックス２とが中空部を上方へ開口して前後に配置された状態をいい、ボートＢの折畳状態とは、図４に示すように、第一ボックス１と第二ボックス２とが互いの開口を向かい合わせて閉じるように、ボートＢが二つ折りされた状態をいう。以下の説明では、特に指定する場合を除き、基本的には、図１のように、ボートＢは展開状態にあるとして説明する。
【００３６】
なお、図４では、第一ボックス１上に第二ボックス２が載せられているが、ボートＢの折畳状態は、図示例の姿勢に限定されるものではない。たとえば、第二ボックス２上に第一ボックス１が載せられてもよい。また、図４の状態を９０度回転させて、各ボックス１，２が縦に配置されてもよい。
【００３７】
本実施例のボートＢは、前述のとおり、第一ボックス１と第二ボックス２とを備えて構成される。本実施例では、第一ボックス１と第二ボックス２は、互いに同一の形状および大きさとされ、ボートＢの展開状態で、前後対称になるよう配置される。第一ボックス１は、ボートＢの前方（船首側）に配置され、第二ボックス２は、ボートＢの後方（船尾側）に配置される。各ボックス１，２は、本実施例では、アルミニウムまたはアルミニウム合金から形成される。
【００３８】
図１の展開状態に基づき説明すると、各ボックス１，２は、上方へ開口した有底の箱状に形成されると共に、ボートＢの幅方向両側となる側壁１ａ（２ａ）には、それぞれ把手３が設けられている。より具体的には、図示例では、各ボックス１，２は、上方へ開口した略矩形の箱状に形成される。第一ボックス１の後壁１ｂと第二ボックス２の前壁２ｂとは、互いに重ね合わされるように対面して（つまり突き合わされて）配置され、ヒンジ４で接続される。以下、第一ボックス１の後壁１ｂと第二ボックス２の前壁２ｂとを、接続壁１ｂ，２ｂということがある。
【００３９】
各ボックス１，２の前後左右の各壁１ａ〜１ｃ，２ａ〜２ｃと底壁１ｄ，２ｄとは、図示例の場合、次のように形成される。すなわち、まず、各ボックス１，２の底壁１ｄ，２ｄは、略水平に形成される。また、各ボックス１，２の接続壁１ｂ，２ｂは、底壁１ｄ，２ｄに対し略垂直に、上下および左右へ延出して形成される。一方、ボートＢの長手方向両端部に配置される端部壁１ｃ，２ｃは、下方へ行くに従ってボートＢの長手方向内側へ傾斜して形成される。さらに、各ボックス１，２の左右の側壁１ａ，２ａは、底壁１ｄ，２ｄに対し略垂直に、上下および前後へ延出して形成される。但し、左右の側壁１ａ，２ａは、場合により、下方へ行くに従ってボートＢの幅方向内側へ傾斜して形成されてもよい。また、底壁１ｄ，２ｄも、場合により、左右方向内側へ行くに従って下方へ傾斜して形成されてもよい。
【００４０】
各ボックス１，２の前後左右の各壁１ａ〜１ｃ，２ａ〜２ｃと底壁１ｄ，２ｄとには、必要に応じて、適宜の補強が施される。たとえば、各壁１ａ〜１ｄ，２ａ〜２ｄを構成する板材自体を屈曲して凹凸を形成するか、および／または、各壁１ａ〜１ｄ，２ａ〜２ｄを構成する板材に補強材が取り付けられる。図示例では、各ボックス１，２の左右の側壁１ａ，２ａには、外方への凸部１ｅ，２ｅが上下に離隔して複数形成され、各凸部１ｅ，２ｅは前後方向へ延出している。また、各ボックス１，２の底壁１ｄ，２ｄと端部壁１ｃ，２ｃとには、外方への凸部１ｆ，２ｆが左右に離隔して複数形成され、各凸部１ｆ，２ｆは前後方向へ延出している。一方、接続壁１ｂ，２ｂについては、図示例の場合、接続壁１ｂ，２ｂの外面（接続壁１ｂ，２ｂ同士の重ね合わせ面）は、凹凸のない平板状に形成されている。そして、各ボックス１，２内の各壁１ａ〜１ｄ，２ａ〜２ｄには、図１に示すように、所望により、角材などからなる補強材１ｇ，２ｇが溶接により固定される。この補強材１ｇ，２ｇも、本実施例では、アルミニウムまたはアルミニウム合金から形成される。
【００４１】
各ボックス１，２には、上部開口に沿って略矩形の枠状部１ｈ，２ｈが設けられる。この枠状部１ｈ，２ｈは、前後左右の各壁１ａ〜１ｃ，２ａ〜２ｃを構成する板材を屈曲して形成されてもよいし、各壁１ａ〜１ｃ，２ａ〜２ｃを構成する板材に別部材を固定して構成されてもよい。枠状部１ｈ，２ｈは、断面略矩形のパイプ状（または板状）に形成されている。左右側壁１ａ，２ａおよび端部壁１ｃ，２ｃにおいては、これら壁よりも外方へツバ状に突出するように、枠状部１ｈ，２ｈが設けられている。接続壁１ｂ，２ｂにおいては、次のように設けられるのがよい。すなわち、第一ボックス１については、接続壁１ｂとその上部の枠状部１ｈの各後面が、同一平面に配置されるのがよく、第二ボックス２については、接続壁２ｂとその上部の枠状部２ｈの各前面が、同一平面に配置されるのがよい。これにより、図２に示すように、ボートＢの展開状態では、各ボックス１，２の接続壁１ｂ，２ｂおよび枠状部１ｈ，２ｈが、重ね合わされることになる。
【００４２】
第一ボックス１と第二ボックス２とは、接続壁１ｂ，２ｂの上端部において、ヒンジ４を介して接続される。ヒンジ４は、左右に複数個（図示例では四つ）設けられる。ヒンジ４は、周知のとおり、二枚の羽根が軸まわりに回転可能に設けられてなる。ヒンジ４は、一方の羽根が、第一ボックス１の接続壁１ｂの上端部（より具体的には枠状部１ｈの上面）に重ね合されて固定され、他方の羽根が第二ボックス２の接続壁２ｂの上端部（より具体的には枠状部２ｈの上面）に重ね合されて固定される。そして、両ボックス１，２間の境界線（ボートＢの前後方向中央部）に沿って、ヒンジ４の軸が配置される。これにより、ヒンジ４の軸まわりに、両ボックス１，２を開閉することができ、図１の展開状態と図４の折畳状態とを切り替えることができる。
【００４３】
各ボックス１，２の左右の側壁１ａ，２ａには、それぞれ把手３が設けられる。好ましくは、各ボックス１，２の左右の側壁１ａ，２ａには、前後二箇所に、それぞれ把手３が設けられる。図４に示すように、第一ボックス１に対し第二ボックス２が折り返されて、両ボックス１，２が上下に配置された折畳状態において、第一ボックス１の把手３と第二ボックス２の把手３とが、上下に対応した位置に配置されるのが好ましい。つまり、図１や図２に示すように、両ボックス１，２間の境界線（ボートＢの前後方向中央部）を中心に、各ボックス１，２の各把手３は前後対称位置に設けられる。各ボックス１，２の左右両側の前後に把手３を設けることで、折畳状態でも、左右両側の前後に把手３が配置されることになる。しかも、折畳状態において、両ボックス１，２の把手３が上下に対応して配置される。
【００４４】
各把手３として、各側壁１ａ，２ａに上方へ凹んだ凹所を設けてもよいが、その場合、折畳状態では、凹所が上下反転して手掛け部とならないものも出てくる。この点を考慮して、把手３は、ロープから構成するのが好ましい。すなわち、ロープを少したるませた状態として、ロープの両端部を側壁１ａ，２ａに固定するのがよい。図示例では、ロープの両端部は、枠状部１ｈ，２ｈに固定される。この際、好ましくは、裏当金やシール材などを用いて、側壁１ａ，２ａ（枠状部１ｈ，２ｈ）に対し水密状態で、ロープの両端部を固定するのがよい。ロープを用いた各把手３は、典型的には、それぞれ同一の構成である。
【００４５】
各ボックス１，２内には、所望により、座席部５が設けられる。本実施例では、各ボックス１，２の前後方向中央部の下部に、左右方向へ沿って座席部５が設けられる。各座席部５は、略矩形の箱状に形成され、上方へ開口した本体部５ａに対し、上蓋５ｂがヒンジ５ｃで開閉可能とされる。本体部５ａに対し上蓋５ｂを閉じた状態で、パッチン錠などの留め具（図示省略）により、本体部５ａに対し上蓋５ｂを着脱可能に係止することができる。本体部５ａに対し上蓋５ｂを閉じた状態では、ボックス１，２内の底壁１ｄ，２ｄから少し高い位置に、上蓋５ｂが水平に配置され、座面を形成する。これにより、ボートＢの展開状態において、各ボックス１，２には、座席部５に腰掛けて、人が座ることができる。
【００４６】
座席部５は、上蓋５ｂで開閉可能とされた中空容器であるから、所望により、各種物品を収納しておくことができる。前記留め具により上蓋５ｂを閉じた状態で、座席部５内を密閉可能に、本体部５ａと上蓋５ｂとがシール材を介して閉じられるようにしてもよい。
【００４７】
ところで、図１に示すように、ボートＢの展開状態では、第一ボックス１と第二ボックス２とは、接続壁１ｂ，２ｂ同士がボルト６などで接続されるのが好ましい。図示例では、各ボックス１，２の接続壁１ｂ，２ｂが重ね合された展開状態において、一方のボックス（図示例では第二ボックス２）の内側からのボルト６の先端部が、他方のボックス（図示例では第一ボックス１）に固定のナットにねじ込まれることで、両ボックス１，２が展開状態に確実に保持される。接続壁１ｂ，２ｂ同士は、好ましくは複数のボルト６により固定される。ボルト６は、工具を用いないで手で操作可能に、たとえば、蝶ボルトの他、ノブやツマミの付いたボルトなどを用いるのが好ましい。なお、ボルト６による接続部からボックス１，２内への水の浸入を確実に防止するために、ボルト挿通穴または接続壁１ｂ，２ｂ間には、適宜のシール材が設けられるのがよい。
【００４８】
次に、本実施例の折畳みボートＢの使用について説明する。
ボートＢとして利用する際には、図１に示すように、各ボックス１，２を展開状態として、接続壁１ｂ，２ｂ同士をボルト６で固定すればよい。そして、座席部５に腰掛けて、不図示のオールなどを用いて、ボートＢを漕ぐことができる。展開状態では、ボートＢの左右側壁１ａ，２ａの把手（ロープ）３を持って、ボートＢを容易に持ち運びすることができる。
【００４９】
展開状態で、把手３を利用して、クレーン等でボートＢを吊り下げることもできる。その場合、吊下用の紐状体（ワイヤやロープ等）をロープ３と側壁１ａ，２ａとの間に通すか、吊下用の紐状体の端部をロープ３に固定すればよい。この場合において、すべての把手３を利用する必要はなく、必要な箇所に紐状体を保持すればよい。
【００５０】
ボートＢを使用しない場合、前記ボルト６を緩めた後、図４に示すように、ヒンジ４まわりに一方のボックス１に対し他方のボックス２を折り返して、折畳状態とするのがよい。そして、留め具７により、両ボックス１，２を着脱可能に係止して、折畳状態に保持することができる。留め具７として、図示例ではないが、パッチン錠を用いることもできる。
【００５１】
図示例の場合、各ボックス１，２には、端部壁１ｃ，２ｃの側の左右両端部に、留め具７が設けられているが、接続壁１ｂ，２ｂの側の左右両端部にも、留め具７を設けてもよい。いずれの留め具７も、一方のボックス（たとえば第二ボックス２）に被係止部７ａが設けられる一方、他方のボックス（たとえば第一ボックス１）に係合部７ｂが設けられ、ボートＢを二つ折りした状態で、被係止部７ａに係合部７ｂを着脱可能に係止して、折畳状態にロックすることができる。なお、留め具７は、左右の側壁１ａ，２ａ（枠状部１ｈ，２ｈ）に設けたが、場合により、端部壁１ｃ，２ｃに設けてもよい。
【００５２】
折畳状態でも、展開状態と同様に、把手３を用いて、ボートＢを持ち運びすることができる。把手３をロープから構成することで、ボートＢの展開状態でも折畳状態でも、ロープ３は下方へ凸のＵ字状に垂れ下がるので、手を掛けやすい。仮に、ボートＢの展開状態において、ボートＢの側壁１ａ，２ａに上方へ凹んだ凹所を設けて手掛け部とした場合、ボートＢの折畳状態では、前記凹所が下向きとなり、手を掛けられないものも出てくるが、ロープを用いることでそのような不都合を防止することができる。また、折畳状態のボートＢが上下反転しても、同様に持ち運びすることができる。
【００５３】
折畳状態でも、展開状態と同様に、把手３を利用して、クレーン等でボートＢを吊り下げることができる。その場合、吊下用の紐状体をロープ３と側壁１ａ，２ａとの間に通すか、吊下用の紐状体の端部をロープ３に固定すればよい。図４において、両ボックス１，２の把手３は上下に対応して配置されるので、上下の各把手３に吊下用の紐状体を通すなどして、両ボックス１，２を確実に保持して、ボートＢを吊り下げることができる。把手３を持ち手または吊下げのいずれに用いる場合でも（しかも展開状態でも折畳状態でも）、把手３をロープから構成しておけば、ロープの柔軟性により、支点を安定してボートＢを保持することができる。
【００５４】
ボートＢの折畳状態では、両ボックス１，２間に物品の収容空間が形成される。この収容空間には、たとえば、ボートＢを漕ぐ際のオールや、各種の防災用品を収容しておくことができる。オールは、柄が伸縮可能か、分解組立可能に構成しておけば、収容空間への収容が容易となる。
【００５５】
防災用品としては、たとえば、水、食料、ブランケット、懐中電灯、ラジオ、ロープ、カッパ、ホイッスル、使い捨て食器、筆記具、発電機、ＧＰＳ（Global Positioning System）機能搭載携帯端末などの内、いずれか一以上が含まれる。特に、水と食料を含むのが望ましい。各ボックス１，２をアルミニウムなどの金属から形成することで、収容空間内への紫外線の到達を防止して、光による劣化を防止しつつ保存することができる。
【００５６】
これら物品を収容した折畳状態のボートＢは、たとえば、マンションなどの集合住宅や、企業が入るビルなどに装備される。その際、前述したとおり、把手３に吊下用の紐状体を通すなどして、部屋の上部などに吊り下げておくこともできる。地震による津波や、集中豪雨や台風による浸水が生じた場合、ボートＢを展開状態にして乗船することができる。このようにして、本実施例のボートＢを、防災備蓄庫兼避難ボートとして利用することができる。
【００５７】
ところで、折畳状態のボートＢは、収容空間内を密閉可能とするのがよい。その場合、第一ボックス１と第二ボックス２との内、少なくとも一方のボックスには、枠状部１ｈ，２ｈの上面に、枠状部１ｈ，２ｈに沿って連続してシール材８が設けられる。たとえば、図１に示すように、第一ボックス１の枠状部１ｈの上面に、弾性材からなるシール材８が設けられる。但し、これに代えてまたは加えて、第二ボックス２の枠状部２ｈの上面に、シール材を設けてもよい。いずれの場合も、ヒンジ４（ヒンジ４の羽根）は、枠状部１ｈ，２ｈの内、シール材８よりも外側に取り付けられるのがよい。このような構成の場合、ボートＢの折畳状態では、両ボックス１，２の枠状部１ｈ，２ｈ同士がシール材８を介して重ね合わされることで、収容空間を密閉する。もちろん、その他の箇所でも、折畳状態では、収容空間内が密閉されるように構成されている。これにより、収容空間内への水の浸入を防止できると共に、折畳状態でも水に浮かせることができる。
【００５８】
本考案の折畳みボートＢは、前記実施例に限らず適宜変更可能である。特に、（ａ）長手方向中央部で二つ折り可能な折畳みボートＢであって、（ｂ）ボートＢは、第一ボックス１と第二ボックス２とを備えて構成され、（ｃ）各ボックス１，２は、上方へ開口した有底の箱状に形成されると共に、ボートＢの幅方向両側となる側壁１ａ，２ａには、それぞれ把手３が設けられており、（ｄ）両ボックス１，２は、突き合わされる接続壁１ｂ，２ｂの上端部において、ヒンジ４を介して接続されており、（ｅ）両ボックス１，２は、ヒンジ４まわりに一方のボックス１に対し他方のボックス２が折り返されて、両ボックス１，２間に収容空間を形成して係止可能とされるのであれば、その他は適宜に変更可能である。
【００５９】
たとえば、前記各実施例では、把手３は、ロープから構成されたが、場合により、側壁１ａ，２ａに凹凸を形成したり、別部材を設けたりして構成されてもよい。その際、吊下用の紐状体を取り付け易いように、上下方向への貫通穴を備えるのが好ましい。
【００６０】
また、前記実施例では、防災備蓄庫兼避難ボートＢとして利用する例を示したが、ボートＢの用途は防災用に限らない。単に、不使用時に折り畳んで収納しておき、使用時に展開して利用できるボートＢであってもよい。
【００６１】
さらに、前記実施例では、第一ボックス１と第二ボックス２とを、同一の形状および大きさとしたが、場合により、両者で多少異ならせてもよい。
【符号の説明】
【００６２】
Ｂ  ボート
１  第一ボックス
１ａ  側壁
１ｂ  接続壁（後壁）
１ｃ  端部壁
１ｄ  底壁
１ｅ  凸部
１ｆ  凸部
１ｇ  補強材
１ｈ  枠状部
２  第二ボックス
２ａ  側壁
２ｂ  接続壁（前壁）
２ｃ  端部壁
２ｄ  底壁
２ｅ  凸部
２ｆ  凸部
２ｇ  補強材
２ｈ  枠状部
３  把手（ロープ）
４  ヒンジ
５  座席部
５ａ  本体部
５ｂ  上蓋
５ｃ  ヒンジ
６  ボルト
７  留め具
７ａ  被係止部
７ｂ  係合部
８  シール材
【図１】
0003232369.tif 000003
【図２】
0003232369.tif 000004
【図３】
0003232369.tif 000005
【図４】
0003232369.tif 000006